(57)【要約】【課題】液体中用照明器具において、大気中で照明ランプの消灯操作忘れ等が発生しても、器具の破損を防止することができるようにする。【解決手段】液体内での照明に使用され、電源４０と、照明ランプ３０と、照明ランプへの電源からの給電をオン・オフさせる電源スイッチとを備える液体中用照明具１０において、熱伝導性ケーシング１２と、該熱伝導性ケーシング１２の開口に配設される耐熱性透明板１６とからなり照明ランプ３０を水密状態で収容するハウジング２０と、該ハウジング２０内に配置される感温センサ３６と、感温センサ３６が所定温度以上になることを検知すると、照明ランプ３０への給電を遮断するリレー３８とを備える。【選択図】  図１
2004207064.tif 000002
【特許請求の範囲】
【請求項１】
液体内での照明に使用され、電源と、照明ランプと、照明ランプへの電源からの給電をオン・オフさせる電源スイッチと、を備える液体中用照明具であって、
熱伝導性ケーシングと、該熱伝導性ケーシングの開口に配設される耐熱性透明板とからなり前記照明ランプを水密状態で収容するハウジングと、該ハウジング内に配置される感温センサと、該感温センサが所定温度以上であることを検知すると、前記照明ランプへの給電を遮断する遮断手段とを備えることを特徴とする液体中用照明具。
【請求項２】
前記所定温度は、ハウジングが液体中にあるときには到達し得ない温度であり、ハウジングが大気中にあって照明ランプが点灯中に到達し得る温度であることを特徴とする請求項１記載の液体中用照明具。
【発明の詳細な説明】
【０００１】
【発明の属する技術分野】
本発明は、海、川、油等の液体中におけるビデオ撮像等に使用され、またはダイバーが水中内を照明するため等に使用される液体中用照明具に関する。
【０００２】
【従来の技術】
従来、この種の液体中用照明具としては、液体内での照明に使用され、電源と、照明ランプと、照明ランプへの電源からの給電をオン・オフさせる電源スイッチと、を備え、照明ランプが液体中に配置されて、瞬間ではなくある程度の時間に亘って、液体中の照明を行うものが知られている（例えば、特許文献１参照。）。
【０００３】
特許文献１の深海用水中テレビカメラ装置における照明用ライトでは、ケーシング内にブロムランプを収納し、ケーシング内周壁に軸方向に沿って等間隔の溝を穿設し、さらに各溝底部に複数の小突条を溝と平行に設けており、これにより、ケーシング内の温度を溝及び小突条によって吸収するようにしている。
【０００４】
【特許文献１】
特公昭５９−３５５４３号公報（第３欄第４行〜第７行）
【０００５】
【発明が解決しようとする課題】
しかしながら、使用中にランプから発生する発熱によるケーシング内の過熱は、ケーシングを熱伝導性の高いものとすることにより、防ぐことができる。つまり、照明ランプが継続的に点灯した状態にあっても、周囲の液体によってケーシングが常時冷却されるため、照明ランプによる過熱を防止することが可能である。
【０００６】
しかしながら、このような液体中用照明具は、液体から引上げられて大気中に置かれたときには、不使用状態にあるために消灯しなければならないにもかかわらず、消灯操作忘れがあると、液体による冷却を受けず、さらに照明ランプがケーシング内で密閉されているために、ケーシング内が過熱するおそれがあり、そのために、器具の破損等を招くおそれがある。
【０００７】
本発明はかかる課題に鑑みなされたもので、その目的は、液体中用照明器具において、大気中で照明ランプの消灯操作忘れ等が発生しても、器具の破損を防止することができる液体中用照明器具を提供することである。
【０００８】
【課題を解決するための手段】
前述した目的を達成するために、請求項１記載の発明は、液体内での照明に使用され、電源と、照明ランプと、照明ランプへの電源からの給電をオン・オフさせる電源スイッチと、を備える液体中用照明具であって、
熱伝導性ケーシングと、該熱伝導性ケーシングの開口に配設される耐熱性透明板とからなり前記照明ランプを水密状態で収容するハウジングと、該ハウジング内に配置される感温センサと、該感温センサが所定温度以上であることを検知すると、前記照明ランプへの給電を遮断する遮断手段とを備えることを特徴とする。
【０００９】
ハウジングが液体中にあるときには、ケーシングが熱伝導性を持つために、周囲の液体によってハウジングが冷却される。そのために、照明ランプが継続的に点灯していてもハウジング内の温度上昇は防止される。一方、ハウジングが液体から出され大気中に置かれた後、電源スイッチによって照明ランプへの給電がオフにされないと、大気中ではハウジングへの冷却効果はほとんど無いため、ハウジング内の温度は上昇していく。しかしながら、感温センサが所定温度以上になることを検知すると、遮断手段によって照明ランプへの給電が遮断されるために、照明ランプは消灯する。こうして、照明ランプの消灯操作忘れ等があっても自動的に消灯されるために、ハウジング内が過熱されることはなく、器具の破損等を防止することができる。
【００１０】
請求項２記載の発明は、請求項１記載のものにおいて、前記所定温度が、ハウジングが液体中にあるときには到達し得ない温度であり、ハウジングが大気中にあって照明ランプが点灯中に到達し得る温度であることを特徴とする。
【００１１】
この構成により、液体中における使用においては照明ランプが消灯することなく、大気中における不使用時においてのみ照明ランプを自動的に消灯させることができる。
【００１２】
【発明の実施の形態】
以下、図面を用いて本発明の実施の形態を説明する。以下の実施形態は本発明を限定するものではない。
【００１３】
図１は、本発明の実施の形態に液体中用照明具のハウジング内部構造を表す断面図である。この液体中用照明具１０は、主として、円筒状のケーシング１２と、該ケーシング１２の後部に螺合する底板１４と、ケーシング１２の前面開口に配設される耐熱性透明板１６と、ケーシング１２の前部に螺合して耐熱性透明板１６をケーシング１２と共に挟着する止め筒１８と、からなるハウジング２０を備えている。底板１４とケーシング１２、及び耐熱性透明板１６とケーシング１２との間には、それぞれＯリング２２、２２が介挿されており、これによって、ハウジング２０内は水密性が保たれて、耐圧性を有している。ケーシング１２、止め筒１８及び底板１４は、それぞれ耐蝕性を持ち、熱伝導性の良好な材料から構成され、具体的には、アルミニウム合金その他の金属製、または金属と同程度の熱伝導性を持つセラミックス製などで構成される。
【００１４】
ハウジング２０内には、前記耐熱性透明板１６に対向してリフレクタ付き照明ランプ３０が配設される。照明ランプ３０としては、ハロゲンランプ等の白熱ランプ、キセノンショートアークランプ、メタルハライドランプ等の放電ランプ等が使用される。照明ランプ３０は、ハウジング２０内に配置されたソケット３２に端子が挿入されており、そこから、ケーブル３４を介して地上等の液体外に配置される制御箱４０（図３参照）内の電源４２（図３参照）に接続される。
【００１５】
また、ハウジング２０内には、照明ランプ３０に隣接して、感温センサ３６が配設される。この例では、感温センサ３６は、照明ランプ３０に隣接しているが、これに限るものではなく、ハウジング２０内において、照明ランプ３０の近傍と同様の温度変化の影響を受ける位置に配置されればよい。
【００１６】
また、ハウジング２０内には、遮断手段を構成するリレー３８が配置されている。このリレー３８は、ハウジング２０内であっても、ハウジング２０外に配置することも可能である。
【００１７】
図３は、この液体中用照明具１０の配線図であり、リレー３８がハウジング２０内に配置された場合の回路例である。電源４２にノーマルＯＮの消灯用押釦スイッチ（電源ＯＦＦスイッチ）４５を介して照明ランプ３０が接続されており、照明ランプ３０と並列に感温センサ３６が接続されている。また、リレー３８は、感温センサ３６に直列に接続され、リレー３８の接点ｒｙ１、ｒｙ２がそれぞれ照明ランプ３０、感温センサ３６に直列に接続されている。また、ノーマルＯＦＦの点灯用押釦スイッチ（電源ＯＮスイッチ）４４が感温センサ３６に直列に且つ接点ｒｙ２に並列に接続されている。この感温センサ３６として、例えば感温リードスイッチが用いられており、感温リードスイッチは規定温度以下で閉じ、感温リードスイッチは規定温度以上で開く。また、リレー３８によって遮断手段が構成される。また、リレーとしては機械式リレー、半導体リレー（ソリッドステートリレーを含む）等を用いることが可能である。
【００１８】
以上のように構成される液体中用照明具１０において、通常使用時は、ハウジング２０が液体中に挿入されて、液体内の撮像や液体内の照射のために使用される。そのために、まず点灯用押釦スイッチ４４をＯＮにすると、感温センサ３６に電流が流れ、感温センサ３６である感温リードスイッチは、規定温度以下では閉となっており、リレー３８に通電されるため、接点ｒｙ１、ｒｙ２が閉鎖する。これにより、電源４２から消灯用押釦スイッチ４５を介して、照明ランプ３０に給電されて、照明ランプ３０は点灯する。
【００１９】
この状態で、継続的に照明ランプ３０が点灯されていても、液体内であれば、周囲の液体により熱伝導性の高い部材からなるハウジング２０の内部は冷却され、ハウジング２０内温度は規定温度以下に保たれる。
【００２０】
作業が終了して、照明ランプ３０を液体内から引上げて大気中に置くと、消灯用押釦スイッチ４５をＯＦＦにしなければならない。ところが、スイッチの操作を忘れてしまったりすると、ハウジング２０は大気中にあって冷却されないために、ハウジング２０内の温度上昇が生じる。図５（ａ）は、ハウジングが大気中に出されてからの経過時間とハウジング２０内の温度の関係を表すグラフである。ハウジング２０内の温度が規定温度を超えると、感温センサ３６である感温リードスイッチが開となり、リレー３８が非通電となるために、接点ｒｙ１、ｒｙ２が開放されて、照明ランプ３０には給電されずに、照明ランプ３０は消灯する。こうして、過熱による器具の破壊等を防止することができる。図５（ｂ）は、経過時間と照明ランプ３０への給電のオン・オフの関係を表すグラフである。
【００２１】
感温センサ３６が検知するべき、規定温度即ち所定温度としては、この照明用器具の用途として、常温における水中、海中、油中に使用することを考慮して、それらの液温よりも高い６０℃〜１００℃に設定するとよい。即ち、規定温度即ち所定温度は、ハウジング２０が液体中にあるときには到達し得ない温度であり、ハウジング２０が大気中にあって照明ランプ３０が点灯中に到達し得る温度である。
【００２２】
図４は、他の実施形態による配線図であり、リレー３８がハウジング２０外の制御箱４０内に配置された場合の回路例である。この例でも、図３と同様に、作用させることができる。
【００２３】
感温センサとしては、感温リードスイッチの他、抵抗温度計（サーミスタ、測温抵抗体を含む）、熱電対、熱膨脹式センサ（バイメタルを含む）、ＩＣ化温度センサ等、任意のものを使用することができるが、熱電対、抵抗温度計、ＩＣ化温度センサを用いた場合には、コンパレータとの組合せにより、各センサの出力とコンパレータとの比較結果の出力が、設定温度より以上か設定温度以下かを識別する検知信号となるようにするとよい。
【００２４】
また、遮断手段としては、リレーに限らず任意の手段とすることもでき、また、感熱リードスイッチのような感温センサにおいて、該感熱リードスイッチが遮断手段をも兼ねることもできる。
【００２５】
【発明の効果】
以上説明したように本発明によれば、感温センサが所定温度以上になることを検知すると、遮断手段によって照明ランプへの給電が遮断されるために、照明ランプの消灯操作忘れ等があっても自動的に消灯されるために、ハウジング内が過熱されることはなく、器具の破損等を防止することができる。
【図面の簡単な説明】
【図１】本発明の実施の形態に係る液体中用照明具のハウジング内部構造を表す図である。
【図２】図１のハウジングの正面図である。
【図３】図１の液体中用照明具の配線図である。
【図４】他の実施形態の液体中用照明具の配線図である。
【図５】（ａ）はハウジングが大気中に出されたときの経過時間とハウジング内の温度との関係を表すグラフ、（ｂ）は経過時間と照明ランプへの給電のオン・オフの関係を表すグラフである。
【符号の説明】
１０  液体中用照明具
１２  ケーシング
１６  透明板
２０  ハウジング
３０  照明ランプ
３６  感温センサ
３８  リレー（遮断手段）
４２  電源
４４、４５  電源スイッチ
【図１】
2004207064.tif 000003
【図２】
2004207064.tif 000004
【図３】
2004207064.tif 000005
【図４】
2004207064.tif 000006
【図５】
2004207064.tif 000007